(57)【要約】【課題】紙類繰り出し用ローラの寿命要因による紙幣繰り出し障害の発生を抑えるとともに、ローラの期間寿命を迎える以前にローラの枚数寿命を先に迎えることを抑える。【解決手段】紙類繰り出し装置の寿命管理システムは、紙類繰り出し用ローラを有するカセットが装填される紙類繰り出し装置と、紙類繰り出し装置にネットワークを介して接続される寿命管理端末とを備える。寿命管理端末は、紙類繰り出し装置により送信されたカセット情報と紙類繰り出し装置情報とを蓄積し、これに基づいて、紙類繰り出し装置毎にカセットの期間余裕度及び枚数余裕度を計算し、両計算値に基づいて、カセット毎にどの紙類繰り出し装置に対してカセットの装填を行うことが最適となるのか、もしくはどのカセットがローラの交換が必要となるかの寿命時期を紙類繰り出し装置毎に順位を付けて判別し、その判別結果を通知する。【選択図】図１
2010159107.tif 000002
【特許請求の範囲】
【請求項１】
紙類繰り出し用ローラを有するカセットが装填される紙類繰り出し装置と、
前記紙類繰り出し装置にネットワークを介して通信可能に接続される寿命管理端末とを備え、
前記紙類繰り出し装置は、
装填されたカセットに関するカセット識別情報、期間余裕度情報、枚数余裕度情報を有するカセット情報を管理するカセット情報部と、
自機の紙類繰り出し装置番号、単位期間当たりの紙類繰り出し枚数、カセット交換期間を有する紙類繰り出し装置情報を管理する紙類繰り出し装置情報部と、
前記カセット情報と前記紙類繰り出し装置情報とを寿命管理端末に送信する送信部と、
を有し、
前記寿命管理端末は、
前記紙類繰り出し装置から送信されたカセット情報と紙類繰り出し装置情報とを蓄積するデータベースと、
蓄積されたカセット情報と紙類繰り出し装置情報とに基づいて、紙類繰り出し装置毎にカセットの期間余裕度及び枚数余裕度を計算し、両計算値に基づいて、カセット毎にどの紙類繰り出し装置に対してカセットの装填を行うことが最適となるのか、もしくはどのカセットが紙類繰り出し用ローラの交換が必要となるかの寿命時期を紙類繰り出し装置毎に順位を付けて判別する処理部と、
その判別結果をカセット寿命情報として通知する通知部と、
を有することを特徴とする紙類繰り出し装置の寿命管理システム。
【請求項２】
前記処理部は、前記カセット毎に期間余裕度及び枚数余裕度の両計算値の順に前記装置情報を並び替えることを特徴とする請求項１に記載の紙類繰り出し装置の寿命管理システム。
【請求項３】
前記寿命管理端末にネットワークを介して通信可能に接続される寿命通知受信端末をさらに備え、
前記寿命通知受信端末は、前記寿命管理端末から通知されたカセット寿命情報を受信して所定の形式で表示することを特徴とする請求項１に記載の紙類繰り出し装置の寿命管理システム。
【請求項４】
紙類繰り出し用ローラを有するカセットが装填される紙類繰り出し装置が、
装填されたカセットに関するカセット識別情報、期間余裕度情報、枚数余裕度情報を有するカセット情報を管理し、
自機の紙類繰り出し装置番号、単位期間当たりの紙類繰り出し枚数、カセット交換期間を有する紙類繰り出し装置情報を管理し、
前記カセット情報と前記紙類繰り出し装置情報とをネットワークを介して寿命管理端末に送信し、
前記寿命管理端末が、
前記紙類繰り出し装置から送信されたカセット情報と紙類繰り出し装置情報とを蓄積し、
蓄積されたカセット情報と紙類繰り出し装置情報とに基づいて、紙類繰り出し装置毎にカセットの期間余裕度及び枚数余裕度を計算し、その両計算値に基づいて、カセット毎にどの紙類繰り出し装置に対してカセットの装填を行うことが最適となるのか、もしくはどのカセットが紙類繰り出し用ローラの交換が必要となるかの寿命時期を紙類繰り出し装置毎に順位を付けて判別し、
その判別結果をカセット寿命情報として通知することを特徴とする紙類繰り出し装置の寿命管理方法。
【請求項５】
紙類繰り出し用ローラを有するカセットが装填される紙類繰り出し装置にネットワークを介して通信可能に接続される寿命管理端末であって、
前記紙類繰り出し装置から送信された、装填されたカセットに関するカセット識別情報、期間余裕度情報、枚数余裕度情報を有するカセット情報と、自機の紙類繰り出し装置番号、単位期間当たりの紙類繰り出し枚数、カセット交換期間を有する紙類繰り出し装置情報とを蓄積するデータベースと、
蓄積されたカセット情報と紙類繰り出し装置情報とに基づいて、紙類繰り出し装置毎にカセットの期間余裕度及び枚数余裕度を計算し、その両計算値に基づいて、カセット毎にどの紙類繰り出し装置に対してカセットの装填を行うことが最適となるのか、もしくはどのカセットが紙類繰り出し用ローラの交換が必要となるかの寿命時期を紙類繰り出し装置毎に順位を付けて判別する処理部と、
その判別結果をカセット寿命情報として通知する通知部と、
を有することを特徴とする寿命管理端末。
【請求項６】
紙類繰り出し用ローラを有するカセットが装填される紙類繰り出し装置であって、
装填されたカセットに関するカセット識別情報、期間余裕度情報、枚数余裕度情報を有するカセット情報を管理するカセット情報部と、
自機の紙類繰り出し装置番号、単位期間当たりの紙類繰り出し枚数、カセット交換期間を有する紙類繰り出し装置情報を管理する紙類繰り出し装置情報部と、
前記カセット情報と前記紙類繰り出し装置情報とをネットワークを介して寿命管理端末に送信する送信部と、
を有することを特徴とする紙類繰り出し装置。
【請求項７】
紙類繰り出し用ローラを有するカセットが装填される紙類繰り出し装置にネットワークを介して通信可能に接続される寿命管理端末の動作方法であって、
前記紙類繰り出し装置から発信された、装填されたカセットに関するカセット識別情報、期間余裕度情報、枚数余裕度情報を有するカセット情報と、自機の紙類繰り出し装置番号、単位期間当たりの紙類繰り出し枚数、カセット交換期間を有する紙類繰り出し装置情報とを蓄積し、
蓄積されたカセット情報と紙類繰り出し装置情報とに基づいて、紙類繰り出し装置毎にカセットの期間余裕度及び枚数余裕度を計算し、
その両計算値に基づいて、カセット毎にどの紙類繰り出し装置に対してカセットの装填を行うことが最適となるのか、もしくはどのカセットが紙類繰り出し用ローラの交換が必要となるかの寿命時期を紙類繰り出し装置毎に順位を付けて判別し、
その判別結果をカセット寿命情報として通知することを特徴とする寿命管理端末の動作方法。
【請求項８】
紙類繰り出し用ローラを有するカセットが装填される紙類繰り出し装置の動作方法であって、
装填されたカセットに関するカセット識別情報、期間余裕度情報、枚数余裕度情報を有するカセット情報を管理し、
自機の紙類繰り出し装置番号、単位期間当たりの紙類繰り出し枚数、カセット交換期間を有する紙類繰り出し装置情報を管理し、
前記カセット情報と前記紙類繰り出し装置情報とをネットワークを介して寿命管理端末に送信することを特徴とする紙類繰り出し装置の動作方法。
【請求項９】
紙類繰り出し用ローラを有するカセットが装填される紙類繰り出し装置にネットワークを介して通信可能に接続される寿命管理端末の動作プログラムであって、
コンピュータに、
前記紙類繰り出し装置から発信された、装填されたカセットに関するカセット識別情報、期間余裕度情報、枚数余裕度情報を有するカセット情報と、自機の紙類繰り出し装置番号、単位期間当たりの紙類繰り出し枚数、カセット交換期間を有する紙類繰り出し装置情報をデータベースに蓄積する処理と、
蓄積されたカセット情報と紙類繰り出し装置情報とに基づいて、紙類繰り出し装置毎にカセットの期間余裕度及び枚数余裕度を計算する処理と、
その両計算値に基づいて、カセット毎にどの紙類繰り出し装置に対してカセットの装填を行うことが最適となるのか、もしくはどのカセットが紙類繰り出し用ローラの交換が必要となるかの寿命時期を紙類繰り出し装置毎に順位を付けて判別する処理と、
その判別結果をカセット寿命情報として通知する処理と、
を実行させることを特徴とする寿命管理端末の動作プログラム。
【請求項１０】
紙類繰り出し用ローラを有するカセットが装填される紙類繰り出し装置の動作プログラムであって、
コンピュータに、
装填されたカセットに関するカセット識別情報、期間余裕度情報、枚数余裕度情報を有するカセット情報を管理する処理と、
自機の紙類繰り出し装置番号、単位期間当たりの紙類繰り出し枚数、カセット交換期間を有する紙類繰り出し装置情報を管理する処理と、
前記カセット情報と前記紙類繰り出し装置情報とをネットワークを介して寿命管理端末に送信する処理と、
を実行させることを特徴とする紙類繰り出し装置の動作プログラム。
【請求項１１】
紙幣繰り出し用ローラを有する紙幣カセットが装填される現金自動預け払い機と、
前記現金自動預け払い機にネットワークを介して通信可能に接続される寿命管理端末とを備え、
前記現金自動預け払い機は、
装填された紙幣カセットに関する紙幣カセット識別情報、期間余裕度情報、枚数余裕度情報を有する紙幣カセット情報を管理する紙幣カセット情報部と、
自機のＡＴＭ装置番号、単位期間当たりの紙幣繰り出し枚数、カセット交換期間を有するＡＴＭ装置情報を管理するＡＴＭ情報部と、
前記紙幣カセット情報と前記ＡＴＭ装置情報とを寿命管理端末に送信する送信部と、
を有し、
前記寿命管理端末は、
前記複数の現金自動預け払い機から送信された紙幣カセット情報とＡＴＭ装置情報とを蓄積するデータベースと、
蓄積された紙幣カセット情報とＡＴＭ装置情報とに基づいて、現金自動預け払い機毎に紙幣カセットの期間余裕度及び枚数余裕度を計算し、両計算値に基づいて、紙幣カセット毎にどの現金自動預け払い機に対して紙幣カセットの装填を行うことが最適となるのか、もしくはどの紙幣カセットが紙幣繰り出し用ローラの交換が必要となるかの寿命時期を現金自動預け払い機毎に順位を付けて判別する処理部と、
その判別結果を紙幣カセット寿命情報として通知する通知部と、
を有することを特徴とする現金自動預け払い機用紙幣カセットの寿命管理システム。
【発明の詳細な説明】
【技術分野】
【０００１】
本発明は、紙類繰り出し装置の寿命管理システム、寿命管理方法、寿命管理端末、紙類繰り出し装置、これらの動作方法及びプログラムに関する。
【背景技術】
【０００２】
近年、現金自動預け払い機（以下、「ＡＴＭ装置」と称す。）には、コンビニエンスストアーに設置されるタイプのＡＴＭ装置に代表されるように、全国的に多台数設置され、２４時間３６５日稼動するものが利用されている。このタイプのＡＴＭ装置においては、人口集中地域である都市部とそれ以外の地方部との違いや、ビジネス街や駅前と郊外との違い等の設置場所の違いにより、稼動率に大きな違いが生ずるという現象が健在化している。このため、稼動率の高いＡＴＭ装置においては、紙幣繰り出しローラの磨耗による寿命時期が想定以上に早い時期に到来し、紙幣繰り出し障害につながるようになった。この対策として、ＡＴＭ装置の取引量管理及び取引量に応じて寿命部品を交換する対応が必要となってきた。
【０００３】
一方、金融機関の店舗内に設置されるタイプのＡＴＭ装置においては、紙幣切れによる現金の装填を金融機関の店舗内部にて実施していたため、予備の紙幣カセットは不要であった。これに対し、コンビニエンスストアーに設置されるタイプのＡＴＭ装置においては、警備会社等の現金装填専門部門が予備の紙幣カセットを準備し、現金を詰めた紙幣カセットを交換する方式を採用している。この方式では、予備の紙幣カセットが存在するため、その予備の紙幣カセットを含めた複数種の紙幣カセットの個々の寿命管理が必要となってきた。
【０００４】
上記に関連して、特許文献１には、シートを搬送する回転体（ローラ）が消耗により搬送不能となる寿命時期を予測する回転体寿命予測方法が記載されている。この方法では、回転体が消耗により搬送不能となる直前の限界消耗度を予め記憶し、回転体の消耗による搬送性能の低下を検出し、回転体の稼働期間を計測し、回転体の消耗度と、回転体の稼動期間と、限界消耗度とを利用し、回転体が消耗により搬送不能となる寿命時期を予測関数によって算出する。これによれば、精度良くローラの寿命時期を予測可能とされている。
【０００５】
また、特許文献２には、紙葉類を取り込むローラに接離可能に配した清掃ローラを有する媒体処理装置において、清掃ローラにクリーニング液を付着可能な清掃機構を設けたものが記載されている。この清掃機構では、紙幣の搬送状態を検出するセンサの出力、紙幣繰り出し枚数のカウント、繰り出し時間、搬送時間の検出を行い、その検出結果に基づきクリーニングの要否を判定する。これによれば、ローラのクリーニングを効果的に行い、ゴミ等による滑りのために媒体取込み不良が発生することを抑制可能とされている。
【先行技術文献】
【特許文献】
【０００６】
【特許文献１】特開２００３−２６１２３７号公報
【特許文献２】特開２００６−３４７７５７号公報
【発明の概要】
【発明が解決しようとする課題】
【０００７】
上記のＡＴＭ装置において、紙幣カセット内に実装され、機能寿命を有する部品である紙幣繰り出し用ゴムローラは、その機能性に起因して到来する寿命時期に関して、２つの局面をもっている。１つは、使用開始から一定期間経過すると、ゴム材質が硬化し、これが要因で寿命（期間寿命）時期が到来することにある。もう１つは、紙幣繰り出し枚数が規定枚数を超過すると、ゴム材質が磨耗し、これが要因で寿命（枚数寿命）時期が到来することにある。
【０００８】
上記のＡＴＭ装置においては、紙幣カセット稼動開始日から一定期間経過した場合の期間寿命に対応した寿命管理のみが実現され、紙幣繰り出し枚数が規定枚数を超過した場合の枚数寿命に対応した寿命管理は実現できていなかった。このため、紙幣繰り出し量が多量となり、ゴムローラの期間寿命が到来する前に紙幣繰り出し量が規定量を超過し、ゴムローラの枚数寿命が到来してしまう紙幣カセットに対しては、適切に寿命管理を行うことができず、このことがゴムローラの寿命要因による紙幣繰り出し障害の増加する要因となっていた。
【０００９】
上記のＡＴＭ装置において、紙幣繰り出し枚数が規定枚数を超過した場合の枚数寿命に対応した寿命管理が実現できていなかった理由は、次のとおりである。すなわち、ＡＴＭ装置に装填され紙幣を繰り出す紙幣カセットは、紙幣カセット内の繰り出し紙幣が空になった場合に、紙幣が装填された別の紙幣カセットをＡＴＭ装置に装填する方式を採用している。このため、ＡＴＭ装置と紙幣カセットが常に１対１で一致した構成とはならず、複数のＡＴＭ装置間を行き来して入れ替わる複数種の紙幣カセットに対して、ＡＴＭ装置毎に寿命期間の日数管理を実現する手段がなかった。
【００１０】
また、紙幣カセットは、ＡＴＭ装置内部に装填されるとともに、装填された紙幣が空になるまでの一定期間ＡＴＭ装置内部に装填されたまま稼動するために、ＡＴＭ装置内部に紙幣カセットが装填された状態のままでゴムローラの期間寿命期を超過し、このことがゴムローラの寿命要因による紙幣繰り出し障害を誘引するという問題もあった。
【００１１】
また、上記の特許文献１は、複数台稼動する装置間を移動しないローラの磨耗管理として、ローラの期間管理と、センサによる磨耗度管理とを併用するものであり、上記のように複数のＡＴＭ装置間を行き来して入れ替わる複数種の紙幣カセットに対して、ＡＴＭ装置毎に寿命期間の日数管理を実現することを意図したものではない。
【００１２】
さらに、上記の特許文献２は、取り込んだ紙葉類の枚数、稼働した累計時間、取り込み時間が基準値を超えたかどうかを判定するもので、上記のように複数のＡＴＭ装置間を行き来して入れ替わる複数種の紙幣カセットに対して、ＡＴＭ装置毎に寿命期間の日数管理を実現することを意図したものではない。
【００１３】
したがって、上記の特許文献１、２は、上記のような問題を解決するものではない。
【００１４】
上記の問題は、紙幣繰り出し用ローラを有する紙幣カセットが装填されるＡＴＭ装置に限らず、券売機等、紙類繰り出し用ローラを有するカセット（又はカートリッジ）が装填される紙類繰り出し装置の寿命管理を行う場合も同様である。
【００１５】
本発明の目的は、上記課題を解決し、紙類繰り出し用ローラの寿命要因による紙幣繰り出し障害の発生を抑えるとともに、紙類繰り出し用ローラの期間寿命を迎える以前に紙類繰り出し用ローラの枚数寿命を先に迎えることを抑え、紙類繰り出し用ローラの寿命が発生したカセットの数量を削減することができる紙類繰り出し装置の寿命管理システムを提供することにある。
【課題を解決するための手段】
【００１６】
上記目的を達成するため、本発明に係る紙類繰り出し装置の寿命管理システムは、紙類繰り出し用ローラを有するカセットが装填される紙類繰り出し装置と、前記紙類繰り出し装置にネットワークを介して通信可能に接続される寿命管理端末とを備え、前記紙類繰り出し装置は、装填されたカセットに関するカセット識別情報、期間余裕度情報、枚数余裕度情報を有するカセット情報を管理するカセット情報部と、自機の紙類繰り出し装置番号、単位期間当たりの紙類繰り出し枚数、カセット交換期間を有する紙類繰り出し装置情報を管理する紙類繰り出し装置情報部と、前記カセット情報と前記紙類繰り出し装置情報とを寿命管理端末に送信する送信部と、を有し、前記寿命管理端末は、前記紙類繰り出し装置から送信されたカセット情報と紙類繰り出し装置情報とを蓄積するデータベースと、蓄積されたカセット情報と紙類繰り出し装置情報とに基づいて、紙類繰り出し装置毎にカセットの期間余裕度及び枚数余裕度を計算し、両計算値に基づいて、カセット毎にどの紙類繰り出し装置に対してカセットの装填を行うことが最適となるのか、もしくはどのカセットが紙類繰り出し用ローラの交換が必要となるかの寿命時期を紙類繰り出し装置毎に順位を付けて判別する処理部と、その判別結果をカセット寿命情報として通知する通知部と、を有することを特徴とする。
【発明の効果】
【００１７】
本発明によれば、寿命となるカセットを事前に確認し、寿命期に対して未然に寿命部品の交換を行うことが可能となる。これにより、寿命要因障害の発生を抑えることができるとともに、期間寿命を迎える以前に枚数寿命を先に迎えることを抑え、寿命発生カセット数量の削減を図ることができる。
【図面の簡単な説明】
【００１８】
【図１】本発明の実施の形態に係るＡＴＭ装置用紙幣カセットの寿命管理システムの全体構成を示す概略ブロック図である。
【図２】図１に示す紙幣カセットの内部構成を示す概略ブロック図である。
【図３】図１に示すＡＴＭ装置の内部構成を示す概略ブロック図である。
【図４】図１に示す寿命管理端末の内部構成を示す概略ブロック図である。
【図５】図１に示す寿命通知受信端末の内部構成を示す概略ブロック図である。
【図６】図１に示す紙幣カセットとＡＴＭ装置の処理を説明する概略フローチャートである。
【図７】図６の処理によりＡＴＭ装置からワーニング値ワーバー通知が発信されたときの寿命管理端末と寿命通知受信端末の処理を説明する概略フローチャートである。
【図８】図６の処理によりＡＴＭ装置からＡＴＭ装置情報と紙幣カセット情報が発信されたときの寿命管理端末の処理を説明する概略フローチャートである。
【図９】図１に示す寿命管理端末の処理部の内部の処理を説明する概略フローチャートである。
【図１０】（ａ）及び（ｂ）は、寿命管理端末に受信され、データサーバに蓄積されるＡＴＭ装置情報のデータ形式と紙幣カセット情報のデータ形式とを示す図である。
【図１１】（ａ）及び（ｂ）は、寿命管理端末の処理部にて加工編集されたＡＴＭ装置情報のデータ形式と紙幣カセット情報のデータ形式とを示す図である。
【図１２】寿命管理端末の処理部による判別結果のデータ形式に対応し、寿命通知受信端末の表示部で表示するデータ形式を示す図である。
【発明を実施するための形態】
【００１９】
以下、本発明に係る紙類繰り出し装置の寿命管理システム、寿命管理方法、寿命管理端末、紙類繰り出し装置、これらの動作方法及びプログラムの実施の形態について、図面を参照して詳細に説明する。
【００２０】
本実施の形態は、全国各金融機関に納入され、預貯金の引き出し等現金の引き出しを行うためのＡＴＭ装置（紙類繰り出し装置）の構成部品であり現金（紙幣）の繰り出し機能を有する紙幣カセットの寿命管理システム及び方法に適用したものである。
【００２１】
図１は、本実施の形態に係るＡＴＭ装置用紙幣カセットの寿命管理システムの全体構成を示す。図１に示すように、本実施の形態は、ネットワークシステムを用いた遠隔システムを適用したもので、複数台数の紙幣カセット１０と、紙幣カセット１０が装填されるＡＴＭ装置２０と、ＡＴＭ装置２０の設置場所とは異なる場所に設置された遠隔端末である寿命管理端末３０と、寿命管理端末３０とは異なる場所に配置された寿命通知受信端末４０とを有している。このうち、ＡＴＭ装置２０と寿命管理端末３０とは、ネットワーク５００で通信可能に接続されている。また、寿命管理端末３０と寿命通知受信端末４０とは、ネットワーク６００で通信可能に接続されている。
【００２２】
上記構成において、紙幣カセット１０の情報（紙幣カセット情報）及びＡＴＭ装置２０からの情報（ＡＴＭ装置情報）は、ネットワーク５００を介して、寿命管理端末３０に通知される。寿命管理端末３０は、通知された紙幣カセット情報及びＡＴＭ装置情報をデータベース（後述参照）に蓄積し、編集加工する。編集加工された情報は、紙幣カセット１０の寿命情報（紙幣カセット寿命情報）として、寿命管理端末３０からネットワーク６００を介して遠隔地にある寿命通知受信端末４０へ電子メール手段等の通信手段にて送信される。この紙幣カセット寿命情報を受信すると、寿命通知受信端末４０は、その通知された情報を表示する。この情報をもとに、作業者により、紙幣カセット１０内の寿命部品である紙幣繰り出し用ローラを構成するゴムローラの交換作業が実施される。
【００２３】
図２は、図１に示す紙幣カセット１０の構成図である。図２に示すように、紙幣カセット１０は、紙幣繰り出し用ローラ１１０、固定データ部１２０、紙幣繰り出しデータ部１３０、日付管理部１４０、紙幣残量管理部１５０、データ送信部１６０、及び制御部１７０を有している。
【００２４】
紙幣繰り出し用ローラ１１０は、ＡＴＭ装置２０の紙幣カセットセット検知部２１０に格納され、紙幣を繰り出すための機構部である。固定データ部１２０は、紙幣カセット１０の固体毎の識別を行うためのＩＤ番号を保持するとともに紙幣カセット１０の寿命までの残期間日数を管理する。紙幣繰り出しデータ部１３０は、紙幣繰り出し残限度枚数カウンタを有し、紙幣繰り出し枚数の寿命値に値する紙幣繰り出し限度残枚数値を管理する。日付管理部１４０は、紙幣カセット１０の期間寿命日数を管理するための元データ（日付）を管理する。紙幣残量管理部１５０は、紙幣カセット１０の紙幣残量を管理し、紙幣残量切れによるカセット交換を判断する。データ送信部１６０は、紙幣カセット１０とＡＴＭ装置２０との間のデータ通信を行う。制御部１７０は、紙幣カセット１０内部の各機能部の動作を制御する。
【００２５】
図３は、図１に示すＡＴＭ装置２０の構成図である。図３に示すように、ＡＴＭ装置２０は、紙幣カセットセット検知部２１０、紙幣カセット情報部２２０、ＡＴＭ情報部２３０、ワーニングデータ部２４０、データ送信部２５０、及び制御部２６０を有している。
【００２６】
紙幣カセットセット検知部２１０は、その内部に紙幣カセット１０を格納し、紙幣の繰り出しを行うとともに、紙幣カセット１０と寿命管理端末３０との間のデータ通信をネットワーク５００を介して行うための機構部であり、紙幣カセット１０がセットされたことを検知する。紙幣カセット情報部２２０は、紙幣カセット１０の紙幣カセットＩＤ番号、寿命期間までの残日数、残枚数情報を記録する。ＡＴＭ情報部２３０は、ＡＴＭ装置２０の固体を識別するためのＡＴＭ装置番号、顧客名、ＡＴＭ設置店舗名、一日あたりの紙幣繰り出し枚数、紙幣カセット交換間隔を記録する。ワーニングデータ部２４０は、紙幣繰り出し枚数と紙幣繰り出し可能残日数のワーニング値（規定値）を保持し、紙幣カセット１０の寿命期間到来の予兆管理（寿命までの残存期間管理）を行う。データ送信部２５０は、紙幣カセット１０と寿命管理端末３０の間のデータ通信を行う。制御部２６０は、紙幣カセット繰り出し命令を行うとともにＡＴＭ装置２０内の各部との間で通信を行って各部の動作を制御する。
【００２７】
寿命管理端末３０は、ネットワーク５００を介してＡＴＭ装置２０より発信されたデータを受信してデータサーバ（後述参照）に蓄積し、そのデータに基づいて紙幣カセット１０の寿命が超過しているかどうかを判断する寿命超過管理を行う機能を有する。また、寿命管理端末３０は、次の紙幣カセット装填時に寿命残期間情報、寿命残枚数情報から、どのＡＴＭ装置２０に紙幣カセット１０を装填すべきかを判断する機能と、寿命通知受信端末４０へ発信する機能とを有する。寿命管理端末３０は、これらの機能により、期間日数の管理と、紙幣繰り出し枚数の管理とを併用した寿命管理を可能とする。
【００２８】
図４は、図１に示す寿命管理端末３０の構成図である。図４に示すように、寿命管理端末３０は、受信部３１０、データサーバ（データベース）３２０、処理部３３０、データ通信部３４０、及び制御部３５０を有している。受信部３１０は、ネットワーク５００を介し、ＡＴＭ装置２０からの情報を受信する。データサーバ３２０は、受信したデータを蓄積する。処理部３３０は、蓄積したデータを加工編集し、そのデータに基づいて紙幣カセット１０の寿命到来管理を行う。データ通信部３４０は、処理部３３０にて処理した寿命情報と紙幣カセット装填情報をネットワーク６００を介して寿命通知受信端末４０に対して通知する。制御部３５０は、寿命管理端末３０内の各部との間で通信を行って各部の動作を制御する。
【００２９】
寿命通知受信端末４０は、寿命管理端末３０より通知された寿命情報と紙幣カセット装填情報を受信し、その受信結果を表示する機能と、表示された結果に基づいて、紙幣カセット１０の寿命時期が到来する場合は、紙幣カセット１０の紙幣繰り出し用ローラ１１０の交換指示を行い、紙幣カセット１０の寿命時期が未到来の場合は、次に装填するＡＴＭ装置２０に対する最適なる紙幣カセット１０の交換ガイダンスを行う機能とを有する。
【００３０】
図５は、図１に示す寿命通知受信端末４０の構成図である。図５に示すように、寿命通知受信端末４０は、寿命管理端末３０より通知された情報を受信する受信部４１０と、受信したデータを表示する表示部４２０と、寿命通知受信端末４０内の各部との間で通信を行って各部の動作を制御する制御部４３０とを有している。
【００３１】
次に、図１から図１２を用いて、本実施の形態の動作を説明する。
【００３２】
（１）最初に、紙幣カセット１０及びＡＴＭ装置２０にて、紙幣カセット１０が交換される動作及びＡＴＭ装置２０内部の紙幣を繰り出す動作について説明する。この例では、紙幣カセット１０の寿命状態及びＡＴＭ装置２０の動作状態を認識し、それに対応するデータをネットワーク５００及びネットワーク６００を介して寿命管理端末３０及び寿命通知受信端末４０に伝達するまでの動作を説明する。
【００３３】
図６は、紙幣カセット１０及びＡＴＭ装置２０の動作フローを示す。これは、装填された紙幣カセット１０の紙幣繰り出し限度枚数、残期間日数が規定値（ワーニング値）を超えていることを寿命管理端末３０に通知し、寿命通知受信端末４０に表示するまでの処理フローである。
【００３４】
図６において、紙幣カセット１０がＡＴＭ装置２０の紙幣カセットセット検知部２１０へ装填される（ステップＡ１）と、ＡＴＭ装置２０は、紙幣カセットセット検知部２１０により、紙幣カセット１０がセットされたことを検知し（ステップＡ２）、その検知信号を紙幣カセット１０に送る。そうすると、紙幣カセット１０は、固定データ部１２０から紙幣カセット１０のＩＤ番号を読み取り（ステップＡ３）、その紙幣カセットのＩＤ（識別）番号をＡＴＭ装置２０に送る。ＡＴＭ装置２０は、紙幣カセット情報部２１０に現在セットされている紙幣カセット１０のＩＤ番号を読み取り（ステップＡ４）、紙幣カセット１０の固定データ部１２０から読み取られた紙幣カセット１０のＩＤ番号と比較する（ステップＡ５）。
【００３５】
その結果、固定データ部１２０で保持する紙幣カセット１０のＩＤ番号とＡＴＭ情報部２２０で保持する紙幣カセット１０のＩＤ番号とが同一の場合（ステップＡ５：ＹＥＳ）は、異なる紙幣カセット１０への交換が無く同一紙幣カセット１０の装填し直しと判断し、紙幣カセット１０の中の固定データ部１２０と紙幣繰り出しデータ部１３０の読み取りは行わず、制御部２６０にて紙幣繰り出し許可を行う（ステップＡ９）。これにより、ＡＴＭ装置２０は、制御部２６０より、紙幣繰り出し命令を紙幣カセット１０に与える（ステップＡ１０）。
【００３６】
一方、固定データ部１２０で保持する紙幣カセット１０のＩＤ番号とＡＴＭ情報部２２０で保持する紙幣カセット１０のＩＤ番号とが異なる場合（ステップＡ５：ＮＯ）は、異なる紙幣カセット１０が装填されたと判断し、紙幣カセット１０は、固定データ部１２０から紙幣カセット１０の残期間日数を読み取るとともに、紙幣繰り出しデータ部１３０から紙幣カセット１０の紙幣繰り出し残限度枚数を読み取り（ステップＡ６）、ＡＴＭ装置２０に送る。すると、ＡＴＭ装置２０は、読み取られた紙幣繰り出し限度枚数と、残期間日数とが、ワーニング管理部２４０にて規定されている残繰り出し限度枚数と、残期間との規定値（ワーニング値）を超えていないか否か判断する（ステップＡ７）。
【００３７】
その結果、ワーニング管理部２４０に設定される規定値を超えている場合（ステップＳ７：ＹＥＳ）には、ＡＴＭ装置２０は、制御部２６０からネットワーク５００を経由して、寿命管理端末３０に規定値を超えていることを示すワーニング値オーバー通知（紙幣カセットＩＤ番号、紙幣繰り出し限度枚数、紙幣繰り出し限度期間）を送信する。寿命管理端末３０は、そのワーニング値オーバー通知を受信部３１０により受けると、受信部３１０から処理部３３０を経由し、通知部３４０より、ネットワーク６００を介して寿命通知受信端末４０に送る。すると、寿命通知受信端末４０は、受信部４１０を経由して表示部４２０により所定のワーニング表示を行い、作業者に対し、対象となる紙幣カセット１０の交換を促す。
【００３８】
一方、ワーニング管理部２４０の規定値を超過していない場合（ステップＳ７：ＮＯ）は、ＡＴＭ装置２０は、制御部２６０にて紙幣カセット情報のセット完了と判断し、紙幣カセット情報部２２０及びＡＴＭ情報部２３０より紙幣カセット情報（紙幣カセットＩＤ（識別）情報、期間余裕度情報、枚数余裕度情報）とＡＴＭ装置情報（ＡＴＭ装置番号、顧客番号、ＡＴＭ装置店舗名、単位期間（一日）当たりの紙幣繰り出し枚数／日、平均カセット交換間隔（日））をネットワーク５００を介して寿命管理端末３０に送る。
【００３９】
これにより、寿命管理端末３０は、紙幣カセット情報とＡＴＭ装置情報とを受信部３１０で受けると、受信部３１０を経由し、データサーバ３２０へ記録する（ステップＡ８）。続いて、ＡＴＭ装置２０は、制御部２６０にて紙幣繰り出し許可を行う（ステップＡ９）。これにより、ＡＴＭ装置２０は、制御部２６０より、紙幣繰り出し命令を紙幣カセット１０に与える（ステップＡ１０）。
【００４０】
上記紙幣繰り出し命令を受けると、紙幣カセット１０は、指定された枚数の紙幣を繰り出し（ステップＡ１１）、その繰り出した紙幣枚数を紙幣繰り出しデータ部１３０に保持される紙幣繰り出し残限度枚数カウンタより減算し、記録する（ステップＡ１２）。紙幣カセット１０は、日付管理部１４０にて保有している現在日付と、紙幣カセット１０をセットした日付との差分の日数を確認し（ステップＡ１３）、その差分の日数を固定データ部１２０の残日数情報に書き込み（ステップＡ１４）、ＡＴＭ装置２０に送る。これにより、ＡＴＭ装置２０は、紙幣カセット情報部２２０の残期間情報に対して残限度枚数と残期間情報を書き込み（ステップＡ１５）、紙幣カセット１０に送る。
【００４１】
そうすると、紙幣カセット１０は、紙幣残量管理部１５０により、紙幣カセット１０が空の状態か否かを判断する（ステップＡ１６）。その結果、紙幣残量管理部１５０により紙幣カセット１０が空の状態でないと判断された場合（ＮＯ）は、ＡＴＭ装置２０により紙幣繰り出し許可状態を判断するステップＡ９へ戻り、同様の処理を繰り返す。一方、紙幣残量管理部１５０により紙幣カセット１０が空の状態であると判断された場合（ＹＥＳ）は、紙幣が装填された別の紙幣カセット１０への交換が必要と判断し、紙幣カセット１０が抜き取られ（ステップＡ１７）、紙幣が装填された別の紙幣カセット１０が準備され（ステップＡ１８）、ステップＡ１へ戻る。これにより、紙幣が装填された紙幣カセット１０への交換が行われ、上記と同様の処理が継続される。
【００４２】
（２）次に、上記ステップＡ７によりＡＴＭ装置２０からワーニング値オーバー通知を受信したときの寿命管理端末３０の動作について、図７に基づいて説明する。この動作は、紙幣カセット１０の寿命の予兆管理を行う方法と、次の動作としてどのＡＴＭ装置２０に対してどの紙幣カセット１０を装填することが最適となるかの処理方法とに関するものである。
【００４３】
図７は、寿命管理端末３０の動作フローを示す。この動作は、装填された紙幣カセット１０がワーニング値を超えていることを寿命管理端末３０に通知し、寿命通知受信端末４０に表示するまでのフローである。
【００４４】
図７において、寿命管理端末３０は、ＡＴＭ装置２０のワーニング管理部２４０からの紙幣カセット１０交換時のワーニング値オーバー通知（紙幣カセットＩＤ番号、紙幣繰り出し限度枚数、紙幣繰り出し限度期間）を、データ送信部２５０から、ネットワーク５００を経由して、受信部３１０にて受信する（ステップＡ１９）。すると、寿命管理端末３０は、受信部３１０、制御部３５０、通知部３４０を介して、ネットワーク６００を経由して、寿命情報受信端末４０に対してワーニング通知を行う（ステップＡ２０）。そうすると、寿命通知受信端末４０は、受信部４１０、制御部４３０を介して、表示部４２０に対してワーニング通知を行う（ステップＡ２１）。これにより、作業者により、対象となる紙幣カセット１０がＡＴＭ装置２０より回収され、寿命部品である紙幣繰り出しローラ１１０の交換が実施される（ステップＡ２２）。
【００４５】
（３）次に、上記ステップＡ８によりＡＴＭ装置２０から紙幣カセット情報とＡＴＭ装置情報を受信したときの寿命管理端末３０の動作について、図８〜図１２に基づいて説明する。
【００４６】
この動作は、紙幣カセット１０の紙幣切れ等により交換された旧紙幣カセット１０の紙幣繰り出し限度枚数情報、期間限度情報をＡＴＭ装置２０より受信し、該当する紙幣カセットＩＤ毎に、回収された時点にて寿命部品交換を実施すべきか、もしくは引き続きＡＴＭ装置２０に対して装填して使用可能なのかの判断を行い、使用可能な場合においても、複数台稼動するＡＴＭ装置２０のうちどのＡＴＭ装置２０に対しての装填が最適であり、期間寿命期到来以前にて枚数寿命超過到来を削減可能となるのかを判別する動作に関するものである。
【００４７】
図８は、寿命管理端末３０の動作フローを示す。これは、ＡＴＭ装置２０より発信されたＡＴＭ装置情報と紙幣カセット情報を蓄積及び編集加工し、寿命通知受信端末４０に表示するまでのフローである。
【００４８】
図９は、寿命管理端末３０の処理部３３０による処理フローを示す。
【００４９】
図８において、寿命管理端末３０は、ＡＴＭ装置２０のＡＴＭ情報部２３０からのＡＴＭ装置情報（ＡＴＭ装置番号、顧客番号、ＡＴＭ装置店舗名、紙幣繰り出し枚数／日、平均カセット交換間隔）を、ネットワーク５００を介して、受信部３１０にて受信する（ステップＡ２３）。同様に、寿命管理端末３０は、紙幣カセット情報部２２０からの紙幣カセット情報（紙幣カセットＩＤ情報、期間余裕度情報、枚数余裕度情報）を、受信部３１０にて受信する（ステップＡ２４）。
【００５０】
寿命管理端末３０は、受信部３１０にて受信したＡＴＭ装置情報と紙幣カセット情報の各データを、データサーバ３２０に記録する（ステップＡ２５）。図１０は、データサーバ３２０に蓄積されるデータのＡＴＭ装置情報のデータ形式（図１０（ａ）参照）と紙幣カセット情報のデータ形式（図１０（ｂ）参照）を示す。
【００５１】
図１０（ａ）に示すＡＴＭ装置情報のデータ形式は、データ名がＡＴＭ１〜５、データ種がＡＴＭ内部データ、項目名が「ＡＴＭ装置番号」、「顧客名」、「店舗名」、「紙幣繰り出し枚数／日」、「平均カセット交換間隔（日）」に区分されている。図１０（ａ）では、ＡＴＭ装置番号が９０００１〜９００３２の３２台のＡＴＭ装置２０に関するＡＴＭ装置情報が例示されている。
【００５２】
図１０（ｂ）に示す紙幣カセット情報のデータ形式は、データ名がＣＡＳＴＥ１〜３、データ種がカセット内部データ、項目名が「紙幣カセットＩＤ」、「期日余裕度」、「紙幣繰り出し枚数余裕度」に区分されている。図１０（ｂ）では、紙幣カセットＩＤが１０２５、１００９、６６７、１０２６、１０２７の５台の紙幣カセット１０に関する紙幣カセット情報が例示されている。
【００５３】
次いで、寿命管理端末３０は、データサーバ３２０に記録されたデータを、処理部３３０にて活用可能な情報（紙幣カセット寿命情報）として編集加工し（ステップＡ２６）、その情報を通知部３４０からネットワーク６００を経由して寿命通知受信端末４０へ通知し（ステップＡ２７）、その表示部４２０へ表示させる（ステップＡ２８）。
【００５４】
（４）ここで、上記ステップＡ２６の寿命管理端末３０の処理部３３０による編集加工により、寿命通知受信端末４０の表示部４２０で表示する紙幣カセット寿命情報を生成する処理手順を図９により説明する。
【００５５】
図９において、交換された紙幣カセット１０がある場合、寿命管理端末３０は、処理部３３０により、データサーバ３２０に記録されたＡＴＭ装置情報と紙幣カセット情報とを参照し（ステップＡ２９）、ＡＴＭ装置情報の項目（紙幣繰り出し枚数／日、平均カセット交換間隔（日））から、紙幣カセット１０の交換期間（平均カセット交換間隔（日））内での紙幣繰り出し枚数を計算し（紙幣繰り出し枚数／日×平均カセット交換間隔（日））、その計算値（同一カセットでの繰り出し枚数）をデータサーバ３２０に記録する（ステップＡ３０）。図１１は、寿命管理端末３０の処理部３３０にて編集加工されたデータのＡＴＭ装置情報のデータ形式（図１１（ａ）参照）と紙幣カセット情報のデータ形式（図１１（ｂ）参照）を示す。
【００５６】
図１１（ａ）に示すＡＴＭ装置情報のデータ形式は、データ名がＡＴＭ１〜６、データ種がＡＴＭ内部データ、計算値、項目名が「ＡＴＭ装置番号」、「顧客名」、「店舗名」、「紙幣繰り出し枚数／日」、「平均カセット交換間隔（日）」、「同一カセットでの繰り出し枚数」に区分されている。図１１（ａ）では、ＡＴＭ装置番号が９０００１〜９００３２の３２台のＡＴＭ装置２０に関するＡＴＭ装置情報が例示されている。同一カセットでの繰り出し枚数は、紙幣繰り出し枚数／日×平均カセット交換間隔（日）の計算で求められる計算値である。
【００５７】
図１１（ｂ）に示す紙幣カセット情報のデータ形式は、データ名がＣＡＳＴＥ１〜３、データ種がカセット内部データ、項目名が「紙幣カセットＩＤ」、「期日余裕度」、「紙幣繰り出し枚数余裕度」に区分されている。図１１（ｂ）では、紙幣カセットＩＤが１０２５、１００９、６６７、１０２６、１０２７の５台の紙幣カセット１０に関する紙幣カセット情報が例示されている。
【００５８】
次に、寿命管理端末３０は、処理部３３０により、紙幣カセット情報の項目（「紙幣繰り出し枚数余裕度」）とＡＴＭ装置情報の項目（「同一カセットでの繰り出し枚数」）を参照して、その差（「紙幣繰り出し枚数余裕度」−「同一カセットでの繰り出し枚数」）を判別し、その判別結果である紙幣カセット１０の繰り出し「枚数余裕度」を基準にして、「枚数余裕度」の数値の低い又は高い順にＡＴＭ装置情報を並べ替える（ステップＡ３１）。
【００５９】
さらに、寿命管理端末３０は、処理部３３０により、紙幣カセット情報の項目（期日余裕度）とＡＴＭ装置情報の項目（平均カセット交換間隔（日））を参照して、紙幣カセット１０の寿命期間（「期日余裕度」）とＡＴＭ装置２０のカセット交換期間（平均カセット交換間隔（日））とを比較し（ステップＡ３２）、その差（「期日余裕度」−「平均カセット交換間隔（日）」）を判別し、その判別結果である紙幣カセット１０の「期日余裕度」を基準にして、「期日余裕度」の数値の低い又は高い順にＡＴＭ装置情報を並べ替える（ステップＡ３３）。
【００６０】
図１２は、寿命管理端末３０の処理部３３０による判別結果のデータ形式に対応し、寿命通知受信端末４０の表示部４２０で表示するデータ形式を示す。図１２に示す判別結果及びその表示のデータ形式は、ＡＴＭ装置情報、紙幣カセット情報、判別結果に区分されている。
【００６１】
このうち、ＡＴＭ装置情報は、データ名がＡＴＭ１〜６、データ種がＡＴＭ内部データ、計算値、項目名が「ＡＴＭ装置番号」、「顧客名」、「店舗名」、「紙幣繰り出し枚数／日」、「平均カセット交換間隔（日）」、「同一カセットでの繰り出し枚数」に区分されている。図１２では、ＡＴＭ装置番号が９０００１〜９００３２の３２台のＡＴＭ装置２０に関するＡＴＭ装置情報が例示されている。
【００６２】
また、紙幣カセット情報は、データ名がＣＡＳＴＥ１〜３、データ種がカセット内部データ、項目名が「紙幣カセットＩＤ」、「期日余裕度」、「紙幣繰り出し枚数余裕度」に区分されている。図１２では、紙幣カセットＩＤが１００１、１００９、１０１７、１０２５の４台の紙幣カセット１０に関する紙幣カセット情報が例示されている。
【００６３】
さらに、判別結果は、項目名が「期日余裕度」、「枚数余裕度」、「判定と順位」に区分されている。「期日余裕度」は、紙幣カセット情報の「期日余裕度」からＡＴＭ装置情報の「平均カセット交換間隔（日）を減算して求められる。「枚数余裕度」は、紙幣カセット情報の「紙幣繰り出し枚数余裕度」からＡＴＭ装置情報の「同一カセットでの繰り出し枚数」を減算して求められる。「判定と順位」は、同一紙幣カセットＩＤをもつ紙幣カセット１０毎に、「期日余裕度」と「枚数余裕度」の両数値を基準に判定が行われ、数値の高い（余裕度の大きい）順に「１」番から順位が付けられ、その順にＡＴＭ装置情報の並び替えが行われる。「期日余裕度」と「枚数余裕度」の両数値のいずれか一方がマイナスのものは、順位は付けられず、「×」とされる。図１２の例は、同一紙幣カセットＩＤをもつ紙幣カセット１０毎に、「期日余裕度」と「枚数余裕度」の両数値の高い（余裕度の大きい）順にＡＴＭ装置情報を並び替えた場合を示しているが、その逆に数値の低い（余裕度の小さい）順にＡＴＭ装置情報を並び替えてもよい。
【００６４】
次に、寿命管理端末３０は、処理部３３０により、上記の判別結果の「期日余裕度」と「枚数余裕度」の両数値から得られる「判定と順位」に基づいて、紙幣カセット１０に対し、その装填対象となるＡＴＭ装置２０を選定する（ステップＡ３３）。寿命管理端末３０は、選定されたＡＴＭ装置２０を含む判別結果の情報を、紙幣カセット寿命情報として、ネットワーク６００を経由して、寿命通知受信端末４０に通知する。寿命通知受信端末４０は、その紙幣カセット寿命情報を受信部で受信すると、表示部４２０にて所定の形式で表示する。
【００６５】
以上のように、本実施の形態では、ネットワークシステムを用いた遠隔システムを利用し、ＡＴＭ装置２０の設置場所とは異なる場所に設置された遠隔端末である管理寿命端末３０の処理により、ＡＴＭ装置２０から発信された紙幣寿命情報と、ＡＴＭ装置２０毎の紙幣繰り出し量・紙幣カセット交換期間情報を蓄積し、編集加工する。そして、管理寿命端末３０の処理により、紙幣カセット１０毎に、寿命時期余裕度判断のもとに、どのＡＴＭ装置２０に対して紙幣カセット１０の装填を行うことが最適となるのか、もしくはどの紙幣カセット１０が寿命部品の交換が必要となるかを自動的に判断する。
【００６６】
これにより、本実施の形態では、異なるＡＴＭ装置２０間を入れ替わり、ＡＴＭ装置２０の台数を越えた予備紙幣カセットを含む全ての紙幣カセット１０に対し、紙幣カセット１０の寿命予兆判断のもとに、最適なる紙幣カセット１０の交換運用を実現し、寿命時期到来以前の未然のゴムローラ交換を実施することができる。
【００６７】
また、本実施の形態では、現状の紙幣カセット１０においても内部情報として保持している紙幣カセット固有のＩＤ番号と、紙幣カセット稼動開始日と、紙幣繰り出し枚数ログ情報を活用することで、紙幣カセット１０の内部に紙幣カセット１０毎固有に経過期日による寿命管理と繰り出し枚数管理による寿命管理を実施することができる。
【００６８】
さらに、本実施の形態では、ＡＴＭ装置２０に対してもＡＴＭ２０毎固有のＡＴＭ番号、取引枚数管理、紙幣カセット交換履歴管理を行うことで、紙幣カセット１０とＡＴＭ装置２０の相互間にて動作量管理、紙幣カセット交換履歴管理を実現することができる。これにより、紙幣カセット１０が期間寿命、紙幣繰り出し枚数寿命ともに到来する以前に事前に寿命情報を管理することができる。
【００６９】
従って、本実施の形態では、紙幣カセット１０内の有寿命部品であるゴムローラの寿命予兆管理実施により寿命起因障害発生を防止させるとともに、期間寿命期と紙幣繰り出し枚数寿命時期を相互管理する。こうすることで、期間寿命到来以前に枚数寿命期到来により寿命部品交換が必要となる件数の削減を実現することができる。
【００７０】
また、本実施の形態では、従来は紙幣カセット稼動開始日からの稼動期間のみ且つリモートシステム等によらずローカル方式にて寿命管理されていたため寿命期日到来以降にて交換していた寿命部品交換を、ネットワークシステムを用いた遠隔システムを利用することで予兆管理を行い、寿命期以前でのゴムローラ交換管理を実現することができる。
【００７１】
以上説明したように、本実施の形態によれば、寿命となる紙幣カセット１０を事前に確認し、寿命期に対して未然に寿命部品の交換を行うことが可能となることで、寿命要因障害の発生を抑えることができるとともに、期間寿命を迎える以前に枚数寿命を先に迎えることを抑える仕組みの実現により寿命発生カセット数量の削減を図ることができる。
【００７２】
また、本実施の形態では、寿命管理端末における寿命予兆（寿命までの残存期間管理）と、期間寿命と枚数寿命の相互を最適値に到達させるための管理の仕組みを構築したため、複数台のＡＴＭ装置間を行き来する紙幣カセットを紙幣カセット番号毎に管理することで寿命期間到来時期を事前管理（予兆管理）するとともに、期間寿命と枚数寿命という２つの実績値が大きく乖離することがないようにするといった効果も得られる。これにより、例えば枚数寿命余裕度を大きく残したままで期間寿命を迎えることを抑制したり、この逆に期間寿命余裕度を大きく残したままで枚数寿命期を迎えることを抑制したりできるといった効果が得られる。
【００７３】
これにより、本実施の形態では、全体として複数台の紙幣カセットが存在する状況の中においては期間寿命満了且つ枚数寿命満了を同時に迎えることが、交換するローラ数の削減に繋がるとともに、寿命期到来によりＡＴＭ装置から紙幣カセットを回収してくる件数や工数を大幅に削減することができる。
【００７４】
さらに、本実施の形態では、複数のＡＴＭ装置間を行き来する紙幣カセット（ＡＴＭ装置の内蔵物）についてリモートシステムを用いて所在管理するとともに、所在場所が異なった場合においても紙幣カセット毎固有のカセット番号にて管理することを可能としている。これにより、ネットワークを介して、ネットワークの先の管理端末にて紙幣カセット個々の状態管理と、適正となる次の装填先ＡＴＭの指定まで行うことで枚数寿命と期間寿命の２つの条件を最適管理することが可能となる。
【００７５】
また、本実施の形態では、ＡＴＭ装置用紙幣カセットの寿命管理システム及び方法に適用しているが、本発明は必ずしもこれに限定されない。例えば、ＡＴＭ装置に限らず、券売機等の紙類繰り出し用ローラ（紙幣繰り出し用ローラに対応する。）を備えたカセット又はカートリッジ（紙幣カセットに対応する。）に紙類を収めた紙類繰り出し装置（ＡＴＭ装置に対応する。）の寿命管理システム及び方法にも適用可能である。この場合、繰り出しの為のローラの劣化により交換する際、カセット内に紙類が残っている状態でローラ交換時期が来る事を避けるためにローラの寿命を予測し、寿命を迎える前にカセット内を空にするようにローラ交換指示を出す寿命管理端末を備えることが望ましい。これによれば、ローラ寿命が過ぎているのにカセット内には紙類が残り、その後の繰り出しでは障害が発生し易くなるという問題を事前に回避することができる。
【００７６】
なお、上記実施の形態に係るＡＴＭ装置用紙幣カセット寿命管理システムは、上述した構成要素の各処理（機能）を実現可能なものであれば、その装置の物理的構成、その装置内部のハードウェア（回路）及びソフトウェア（プログラム）構成については、特に限定されるものではない。例えば、独立して個別の回路やユニット或いはプログラム部品（プログラムモジュール等）を構成したり、１つの回路やユニット内に一体的に構成したりする等、いずれの形態のものでも適用可能である。これらの形態は、実際に使用する装置の機能や用途等の事情に応じて適宜選択、変更、変形等して実施してもよい。
【００７７】
また、上述した構成要素の各機能に対応して、これらと同様の処理を行う各処理ステップを有するＡＴＭ装置用紙幣カセットの寿命管理方法、寿命管理端末の動作方法、ＡＴＭ装置の動作方法も、本発明の範疇に含まれる。
【００７８】
さらに、上述した構成要素の各機能の内の少なくとも一部の処理は、ＣＰＵ（Central Processing Unit）を有するマイクロプロセッサ等の処理装置で構成されるコンピュータによるソフトウェア処理で実現してもよい。この場合、コンピュータを機能させるためのプログラム（寿命管理端末の動作プログラム、ＡＴＭ装置の動作プログラム）は、本発明の範疇に含まれる。
【００７９】
このプログラムは、ＣＰＵにより直接実行可能な形式のプログラムに限らず、ソース形式のプログラムや、圧縮処理されたプログラム、暗号化されたプログラム等、種々形態のプログラムを含む。また、このプログラムは、装置全体の制御を行うＯＳ（Operating System）やファームウェア等の制御プログラムと連携して動作し、或いはその一部に組み込まれて一体的に動作するアプリケーションプログラムやそれを構成するソフトウェア部品（ソフトウェアモジュール）等、いずれの形態でも提供可能である。さらに、このプログラムは、無線又は有線回線を介して外部装置と通信する通信機能を有する装置に実装して使用する場合、例えば回線上に接続されたサーバ等の外部ノードからダウンロードして自装置内の記録媒体にインストールして使用することもできる。これらの形態は、実際に使用する装置の機能や用途等の事情に応じて適宜選択、変更、変形等して実施してもよい。
【００８０】
また、上記のプログラムを記録したコンピュータ読み取り可能な記録媒体も、本発明の範疇に含まれる。この場合、記録媒体は、ＲＯＭ（Read Only Memory）等のメモリ等、装置内に固定して使用されるものや、利用者により持ち運びが可能な可搬型のもの等、いずれの形態のものでも適用可能である。
【００８１】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【産業上の利用可能性】
【００８２】
本発明は、現金の繰り出し機能を有するＡＴＭ装置用紙幣カセットの寿命管理システム及び寿命管理方法等の用途に利用できる。
【符号の説明】
【００８３】
１０  紙幣カセット
２０  ＡＴＭ装置
３０  管理寿命端末
４０  寿命通知受信端末
１１０  紙幣繰り出し用ローラ
１２０  固定データ部
１３０  紙幣繰り出しデータ部
１４０  日付管理部
１５０  紙幣残量管理部
１６０  データ送信部
１７０  制御部
２１０  紙幣カセットセット検知部
２２０  紙幣カセット情報部
２３０  ＡＴＭ情報部
２４０  ワーニング管理部
２５０  データ送信部
２６０  制御部
３１０  受信部
３２０  データサーバ（データベース）
３３０  処理部
３４０  通知部
３５０  制御部
４１０  受信部
４２０  表示部
４３０  制御部
５００、６００  ネットワーク
【図１】
2010159107.tif 000003
【図２】
2010159107.tif 000004
【図３】
2010159107.tif 000005
【図４】
2010159107.tif 000006
【図５】
2010159107.tif 000007
【図６】
2010159107.tif 000008
【図７】
2010159107.tif 000009
【図８】
2010159107.tif 000010
【図９】
2010159107.tif 000011
【図１０】
2010159107.tif 000012
【図１１】
2010159107.tif 000013
【図１２】
2010159107.tif 000014